(57)【要約】【課題】ユーザがより大きな興味と感動を覚えながら旅行すること、およびユーザが旅行する際に自身が接した大衆文化コンテンツから味わった感動を再び思い浮かべることを提供すること【解決手段】本発明の一態様によれば、ユーザに場所と関連するコンテンツを提供するための方法であって、ユーザ端末装置（３００）から場所情報を受信する段階と、第１データベース（５３０）を参照して前記場所情報と関連する第１コンテンツを提供する段階と、コンテンツの要請が受信されれば、第２データベース（５４０）を参照してユーザにより選択された前記第１コンテンツの一部と関連する第２コンテンツを提供する段階とを含む方法が提供される。【選択図】図２
2013084271.tif 000002
【特許請求の範囲】
【請求項１】
ユーザに場所と関連するコンテンツを提供するための方法であって、
ユーザ端末装置から場所情報を受信する段階と、
第１データベースを参照して前記場所情報と関連する第１コンテンツを提供する段階と、
コンテンツの要請が受信されれば、第２データベースを参照してユーザにより選択された前記第１コンテンツの一部と関連する第２コンテンツを提供する段階とを含む方法。
【請求項２】
前記第１コンテンツは、前記場所情報により指定される場所の観光に関する情報及び前記場所で撮影された映像コンテンツに関する情報のうちの少なくとも１つを含むことを特徴とする請求項１に記載の方法。
【請求項３】
前記観光に関する情報は、前記場所の周辺マップ、観光経路、観光所要時間、交通、便宜施設及び文化施設に関する情報のうちの少なくとも１つを含むことを特徴とする請求項２に記載の方法。
【請求項４】
前記第２コンテンツは、前記選択された前記第１コンテンツの一部に関するユーザの感情を誘発するために製作されたテキスト、イメージ、音響、動画や前記選択された前記第１コンテンツの一部に関する情報を提供できるインターネットサイトに関する情報のうちの少なくとも１つを含むことを特徴とする請求項１に記載の方法。
【請求項５】
前記第２コンテンツは、ＱＲコード（Ｑｕｉｃｋ Ｒｅｓｐｏｎｓｅ Ｃｏｄｅ）（登録商標）を用いて提供されることを特徴とする請求項１に記載の方法。
【請求項６】
前記第１コンテンツ又は前記第２コンテンツの提供と共に前記場所と関連する会社及び商品に関する広告を更に提供することを特徴とする請求項２に記載の方法。
【請求項７】
（ｃ）ユーザが前記第２コンテンツのうちの少なくとも一部と前記ユーザのイメージの合成に関する指示を下せるように支援するガイド情報を拡張現実の形態で前記ユーザ端末装置に提供する段階と、
（ｄ）前記合成に関する指示信号が入力されれば、前記合成に関する指示信号を参照して前記第２コンテンツのうちの少なくとも一部と前記ユーザのイメージを合成する段階とを更に含むことを特徴とする請求項１に記載の方法。
【請求項８】
前記（ｃ）段階で、
前記ガイド情報は、前記第２コンテンツに登場する人物に対するガイド情報を含むことを特徴とする請求項７に記載の方法。
【請求項９】
ユーザに場所と関連するコンテンツを提供するためのシステムであって、
ユーザ端末装置から場所情報を受信すれば、第１データベースを参照して前記場所情報と関連する第１コンテンツを提供する第１コンテンツ提供部と、
コンテンツの要請が受信されれば、第２データベースを参照してユーザにより選択された前記第１コンテンツの一部と関連する第２コンテンツを提供する第２コンテンツ提供部とを含むシステム。
【請求項１０】
前記第１コンテンツは、前記場所情報により指定される場所の観光に関する情報及び前記場所で撮影された映像コンテンツに関する情報のうちの少なくとも１つを含むことを特徴とする請求項９に記載のシステム。
【請求項１１】
前記観光に関する情報は、前記場所の周辺マップ、観光経路、観光所要時間、交通、便宜施設及び文化施設に関する情報のうちの少なくとも１つを含むことを特徴とする請求項１０に記載のシステム。
【請求項１２】
前記第２コンテンツは、前記選択された前記第１コンテンツの一部に関するユーザの感情を誘発するために製作されたテキスト、イメージ、音響、動画や前記選択された前記第１コンテンツの一部に関する情報を提供できるインターネットサイトに関する情報のうちの少なくとも１つを含むことを特徴とする請求項９に記載のシステム。
【請求項１３】
前記第２コンテンツは、ＱＲコードを用いて提供されることを特徴とする請求項９に記載のシステム。
【請求項１４】
前記第１コンテンツ又は前記第２コンテンツの提供と共に前記場所と関連する会社及び商品に関する広告を更に提供することを特徴とする請求項１０に記載のシステム。
【請求項１５】
ユーザが前記第２コンテンツのうちの少なくとも一部と前記ユーザのイメージの合成に関する指示を下せるように支援するガイド情報を拡張現実の形態で前記ユーザ端末装置に提供し、前記合成に関する指示信号が入力されれば、前記合成に関する指示信号を参照して前記第２コンテンツのうちの少なくとも一部と前記ユーザのイメージを合成する拡張現実提供部を更に含むことを特徴とする請求項９に記載のシステム。
【請求項１６】
前記ガイド情報は、前記第２コンテンツに登場する人物に対するガイド情報を含むことを特徴とする請求項１５に記載の方法。
【請求項１７】
請求項１〜８の何れか一項による方法を実行するためのコンピュータプログラムを記録するコンピュータ読み取り可能な記録媒体。
【発明の詳細な説明】
【技術分野】
【０００１】
本発明は、ユーザに旅行場所と関連する大衆文化コンテンツを提供するための方法、システム、端末装置及びコンピュータ読み取り可能な記録媒体に関する。
【背景技術】
【０００２】
近年、観光客のために多様な情報を盛り込んでいる電子ブック（Ｅ-Ｂｏｏｋ）やその他アプリケーションが提供されている。このような電子ブックやアプリケーションは、主に旅行場所やその周辺の名所、商店、その他の店、機関などに関する情報を提供するが、このような情報は、多くの場合、無味乾燥、且つ、一律的な方式で提供されている。このような技術のうち、比較的最新技術について、例えば、特許文献１（発明の名称：「観光情報案内システム及びその方法」）（本出願明細書は、その全体として本明細書に組み込まれたものと見なされるべきである）を参照できる。
【０００３】
一方、ドラマ、映画、ミュージックビデオ、レコードなどのような大衆文化コンテンツに対するユーザの関心乃至は需要が益々増加しつつあるが、このような現象は、特に「韓流」コンテンツの場合に更に顕著である。これにより、韓国を訪れる外国人観光客のうち、相当数は単に韓国の伝統的な旅行場所を探すことに止まらず、韓流コンテンツと関連する独特の旅行場所を探す傾向まで見せている。
【０００４】
本発明者は、前記のような２つの現象に着目し、ユーザがより興味を持ち、自身の旅行目的に合うように利用できる電子ブックなどについて提案するところである。
【先行技術文献】
【特許文献】
【０００５】
【特許文献１】韓国特許出願第１０-２００８-００４６１６８号明細書
【発明の概要】
【発明が解決しようとする課題】
【０００６】
本発明は、前述した従来技術の問題を何れも解決することをその目的とする。
本発明の他の目的は、ユーザに旅行場所と関連する大衆文化コンテンツを提供することによって、ユーザがより大きな興味と感動を覚えながら、旅行できるようにすることにある。
【０００７】
本発明の更に他の目的は、ユーザが旅行する際に自身が接した大衆文化コンテンツから味わった感動を再び思い浮かべることができる機会を提供することにある。
【課題を解決するための手段】
【０００８】
前記目的を達成するための本発明の代表的な構成は、以下の通りである。
本発明の一態様によれば、ユーザに場所と関連するコンテンツを提供するための方法であって、ユーザ端末装置から場所情報を受信する段階と、第１データベースを参照して前記場所情報と関連する第１コンテンツを提供する段階と、コンテンツの要請が受信されれば、第２データベースを参照してユーザにより選択された前記第１コンテンツの一部と関連する第２コンテンツを提供する段階とを含む方法が提供される。
【０００９】
また、本発明の他の態様によれば、ユーザに場所と関連するコンテンツを提供するためのシステムであって、ユーザ端末装置から場所情報を受信すれば、第１データベースを参照して前記場所情報と関連する第１コンテンツを提供する第１コンテンツ提供部と、コンテンツの要請が受信されれば、第２データベースを参照してユーザにより選択された前記第１コンテンツの一部と関連する第２コンテンツを提供する第２コンテンツ提供部とを含むシステムが提供される。
【００１０】
この他にも、本発明を実現するための他の方法、他のシステム、他の端末装置及び前記方法を実行するためのコンピュータプログラムを記録するコンピュータ読み取り可能な記録媒体が更に提供される。
【発明の効果】
【００１１】
本発明によれば、ユーザがより大きな興味と感動を覚えながら、旅行できるようになるという効果を奏する。
また、本発明によれば、ユーザが旅行する際に自身が接した大衆文化コンテンツから味わった感動を再び思い浮かべることができる機会を提供できるようになるという効果が達成される。
【図面の簡単な説明】
【００１２】
【図１】通信網を介入させる本発明の第１の実施形態によってユーザに旅行場所と関連する大衆文化コンテンツを提供するための全体システムの概略的な構成を示す図である。
【図２】本発明の一実施形態に係るコンテンツ提供システム２００の内部構成を詳細に示す図である。
【図３】本発明の第２の実施形態によってユーザ端末装置３００上で作動する電子ブックアプリケーション５００の内部構成を詳細に示す図である。
【図４】それぞれ本発明の活用例によって第１コンテンツが提供されるユーザ端末装置３００のディスプレイ画面と第２コンテンツが提供されるユーザ端末装置３００のディスプレイ画面を示す。
【図５】それぞれ本発明の活用例によって第１コンテンツが提供されるユーザ端末装置３００のディスプレイ画面と第２コンテンツが提供されるユーザ端末装置３００のディスプレイ画面を示す。
【図６】本発明の第３の実施形態によってユーザ端末装置３００上で作動するアプリケーション７００の内部構成を詳細に示す。
【発明を実施するための形態】
【００１３】
後述する本発明に関する詳細な説明は、本発明が実施され得る特定の実施形態を例として示す添付の図面を参照する。このような実施形態は、当業者が本発明を実施できるのに十分なように詳細に説明される。本発明の多様な実施形態は互いに異なるが、相互排他的である必要はないことが理解されるべきである。例えば、本明細書に記載されている特定の形状、構造及び特性は、本発明の精神と範囲から逸脱せず、一実施形態から他の実施形態に変更されて実現され得る。また、それぞれの実施形態内の個別構成要素の位置又は配置も本発明の精神と範囲から逸脱せず、変更され得ることが理解されるべきである。従って、後述する詳細な説明は限定的な意味として行われるものではなく、本発明の範囲は、特許請求の範囲の請求項が請求する範囲及びそれと均等なあらゆる範囲を包括するものとして受け止められるべきである。図面における類似の参照符号は、多様な側面にわたって同一であるか、類似の構成要素を示す。
【００１４】
以下では、本発明の属する技術分野において通常の知識を有する者が本発明を容易に実施できるようにするために、本発明の多様な好ましい実施形態について添付の図面を参照して詳細に説明する。
（本発明の好適な実施形態）
本明細書において、コンテンツ（ｃｏｎｔａｅｎｔｓ）とは、通信網を通じてアクセス可能な文字、符号、音声、音響、イメージ、動画などからなるデジタル情報又は個別の情報要素を通称する概念である。このようなコンテンツは、例えば、テキスト、イメージ、動画、オーディオ、リンク（例えば、ウェブリンク）などのデータ又はこのようなデータのうちの少なくとも２つの組み合わせを含んで構成され得る。
（第１の実施形態）
図１は、通信網を介入させる本発明の第１の実施形態によってユーザに旅行場所と関連する大衆文化コンテンツを提供するための全体システムの概略的な構成を示す図である。
【００１５】
図１に示すように、本発明の一実施形態に係る全体システムは、通信網１００、コンテンツ提供システム２００、ユーザ端末装置３００及びコンテンツサーバ４００（又は、端末装置）を含むことができる。
【００１６】
まず、本発明の一実施形態に係る通信網１００は、有線通信や無線通信のような通信形態を問わず、構成されることができ、近距離通信網（ＬＡＮ；Ｌｏｃａｌ Ａｒｅａ Ｎｅｔｗｏｒｋ）、都市圏通信網（ＭＡＮ；Ｍｅｔｒｏｐｏｌｉｔａｎ Ａｒｅａ Ｎｅｔｗｏｒｋ）、広域通信網（ＷＡＮ；Ｗｉｄｅ Ａｒｅａ Ｎｅｔｗｏｒｋ）など多様な通信網で構成されることができる。好ましくは、本明細書でいう通信網１００は、公知のインターネット又はワールドワイドウェブ（ＷＷＷ；Ｗｏｒｌｄ Ｗｉｄｅ Ｗｅｂ）であり得る。しかしながら、通信網１００は、敢えてこれに限定される必要なく、公知の有無線データ通信網、公知の電話網又は公知の有無線テレビ通信網をその少なくとも一部において含むこともできる。
【００１７】
次に、本発明の一実施形態に係るコンテンツ提供システム２００は、ユーザ端末装置３００から受信される旅行場所情報と関連する第１コンテンツ及び／又は第１コンテンツと関連する第２コンテンツをユーザ端末装置３００に提供できる。また、コンテンツ提供システム２００は、第１コンテンツや第２コンテンツを提供しながら、該当旅行場所や該当コンテンツと関連する広告を更に提供できる。
【００１８】
本発明に係るコンテンツ提供システム２００の構成と機能については、以下の詳細な説明を通じて詳細に説明する。
次に、本発明の一実施形態に係るユーザ端末装置３００は、ユーザがコンテンツ提供システム２００やコンテンツサーバ４００に接続した後に通信できるようにする機能を含むデジタル機器であって、デスクトップコンピュータ、ノートブックコンピュータ、ワークステーション、ＰＤＡ、ウェブパッド、移動電話機（スマートフォンを含む）などのようにメモリ手段を備え、マイクロ・プロセッサを搭載して演算能力を備えたデジタル機器であれば、いくらでも本発明に係るユーザ端末装置３００として採択されることができる。
【００１９】
特に、ユーザ端末装置３００は、ユーザが該当入力装置（例えば、タッチスクリーン、タッチボタン、マウス、キーパッド、キーボードなど）を用いて第１コンテンツや第２コンテンツに関する要請を入力すれば、該当要請がコンテンツ提供システム２００に転送されるようにし／したり、第１コンテンツや第２コンテンツをコンテンツ提供システム２００から受信してユーザに提供できるアプリケーション（図示せず）プログラムを含むことができる。このようなアプリケーションプログラムは、コンテンツ提供システム２００からダウンロードしたものであり得る。
【００２０】
最後に、本発明の一実施形態に係るコンテンツサーバ４００は、コンテンツ提供システム２００との通信を行える情報提供装置であり得る。コンテンツサーバ４００は、第１コンテンツを格納、管理する第１データベース（図示せず）や第２コンテンツを格納、管理する第２データベース（図示せず）を含むことができる。自明なことにも、このようなコンテンツサーバ４００は、少なくとも２つのサーバで構成されてもよく、その少なくとも一部がコンテンツ提供システム２００に物理的に、又は機能的に含まれて構成されてもよい。
【００２１】
一方、以上の説明で言及された第１コンテンツは、特定の旅行場所に関する旅行情報コンテンツであり得る。このような第１コンテンツの例として、旅行場所自体に関する情報を盛り込んだコンテンツ、その周辺の名所、商店、その他の店、機関などに関する情報を盛り込んだコンテンツ、旅行場所の旅行経路、交通便、所要時間などに関するコンテンツなどが挙げられる。また、第１コンテンツは、前記のようなコンテンツを提供する別途のページ（例えば、ウェブページ）に対する経路識別子（例えば、ＵＲＬやＱＲコード（登録商標））であるか、これを含むこともできる。
【００２２】
そして、以上の説明で言及された第２コンテンツは、特定の旅行場所と関連する大衆文化コンテンツ（好ましくは、このようなコンテンツの短編や改作物）を含むことができる。即ち、例えば、第２コンテンツは、韓流ドラマのような大衆文化コンテンツの短編（例えば、韓流ドラマの一場面を盛り込んだイメージや動画、又は韓流ドラマの一場面に関する台本の一部）であるか、前記のような大衆文化コンテンツの短編を少なくとも一部改作して製作される改作物であり得る。このような第２コンテンツは、ユーザが旅行場所に関する案内を受ける過程で自身が接した大衆文化コンテンツから味わった感動を再び思い浮かべられる機会を提供できる。また、第２コンテンツは、前記のような大衆文化コンテンツの短編や改作物を提供する別途のページ（例えば、ウェブページ）に対する経路識別子（例えば、ＵＲＬやＱＲコード（登録商標））であるか、これを含むこともできる。
【００２３】
本発明の一実施形態によれば、第２コンテンツは、第２コンテンツと特定場所を関係付ける上で端緒となる情報を含むことができる。例えば、第２コンテンツは、第２コンテンツが撮影された場所（即ち、ロケーション）に関する情報、第２コンテンツに出演する登場人物の台詞（ｓｃｒｉｐｔ）情報、第２コンテンツの時間帯情報などを含むことができ、このような情報は、第２コンテンツの製作過程で生成及び管理され得る。
【００２４】
以下では、本発明に係るコンテンツ提供システム２００の内部構成と各構成要素の機能について詳察する。
図２は、本発明の一実施形態に係るコンテンツ提供システム２００の内部構成を詳細に示す図である。
【００２５】
図２に示すように、本発明の一実施形態に係るコンテンツ提供システム２００は、第１コンテンツ提供部２１０、第２コンテンツ提供部２２０、通信部２３０及び制御部２４０を含んで構成されることができる。本発明の一実施形態によれば、第１コンテンツ提供部２１０、第２コンテンツ提供部２２０、通信部２３０及び制御部２４０は、そのうちの少なくとも一部がユーザ端末装置３００やコンテンツサーバ４００と通信するプログラムモジュールであり得る。このようなプログラムモジュールは、オペレーティングシステム、応用プログラムモジュール又はその他プログラムモジュールの形態でコンテンツ提供システム２００に含まれることができ、物理的には多様な公知の記憶装置に格納されることができる。また、このようなプログラムモジュールは、コンテンツ提供システム２００と通信可能な遠隔記憶装置に格納されることもできる。一方、このようなプログラムモジュールは、本発明によって後述する特定のタスクを行ったり、特定の抽象データタイプを実行するルーチン、サブルーチン、プログラム、オブジェクト、コンポーネント、データ構造などを包括するが、これに制限されるものではない。
【００２６】
前記のようなコンテンツ提供システム２００は、好ましくは、ユーザ端末装置３００で相応して作動する、公知のウェブブック（Ｗｅｂ Ｂｏｏｋ）と類似するアプリケーションをホストするオペレーションサーバであり得る。
【００２７】
まず、第１コンテンツ提供部２１０は、ユーザ端末装置３００から旅行場所情報が受信されれば、コンテンツ提供システム２００やコンテンツサーバ４００に含まれ得る第１データベース（図示せず）を参照して前記旅行場所情報と関連する第１コンテンツを抽出し、これをユーザ端末装置３００に送ることで、第１コンテンツがユーザ端末装置３００のアプリケーションを通じてユーザに提供されるようにする機能を行える。
【００２８】
従って、ユーザは、自身の端末装置３００上のアプリケーションを通じて旅行場所に関する伝統的な旅行情報に接して利用できるようになる。
次に、第２コンテンツ提供部２２０は、ユーザ端末装置３００から旅行場所情報が受信されれば、又は第１コンテンツ自体やその一部分がユーザによって選択されれば、コンテンツ提供システム２００やコンテンツサーバ４００に含まれ得る第２データベース（図示せず）を参照して前記旅行場所情報や第２コンテンツと関連する第２コンテンツを抽出し、これをユーザ端末装置３００に送ることで、第２コンテンツがユーザ端末装置３００のアプリケーションを通じてユーザに提供されるようにする機能を行える。このような場合、第１コンテンツと第２コンテンツとの間に既に関連性が存在し得る。例えば、第１コンテンツの一種である旅行場所の旅行経路を表すマップコンテンツと、第２コンテンツの一種である前記マップコンテンツ上で選択された特定地点で撮影されたドラマの一場面のイメージが互いに関連していることもあり得る。このような関連性は、第２コンテンツの第１コンテンツに対する又はその逆のタッキングや第１コンテンツと第２コンテンツ間の相互参照（例えば、コンテンツＩＤに基づく相互参照）などによって確保されることができる。
【００２９】
一方、前記のような第１コンテンツや第２コンテンツがユーザに提供される場合に、広告コンテンツがコンテンツ提供システム２００やアプリケーションによって更に提供されることができる。
【００３０】
次に、本発明の一実施形態に係る通信部２３０は、第１コンテンツ提供部２１０と第２コンテンツ提供部２２０からの／へのデータの送受信が可能なようにする機能を行える。
最後に、本発明の一実施形態に係る制御部２４０は、第１コンテンツ提供部２１０、第２コンテンツ提供部２２０及び通信部２３０間のデータの流れを制御する機能を行える。即ち、本発明に係る制御部２４０は、コンテンツ提供システム２００の外部からの／へのデータの流れ又はコンテンツ提供システム２００の各構成要素間のデータの流れを制御することで、第１コンテンツ提供部２１０、第２コンテンツ提供部２２０及び通信部２３０でそれぞれ固有機能を行うように制御できる。
（第２の実施形態）
図３は、本発明の第２の実施形態によってユーザ端末装置３００上で作動する電子ブックアプリケーション５００の内部構成を詳細に示す図である。
【００３１】
図３に示すように、電子ブックアプリケーション５００は、第１コンテンツ提供部５１０、第２コンテンツ提供部５２０、第１データベース（第１コンテンツデータベース）５３０、第２データベース（第２コンテンツデータベース）５４０、通信部５５０及び制御部５６０を含んで構成されることができる。本発明の一実施形態によれば、第１コンテンツ提供部５１０、第２コンテンツ提供部５２０、第１データベース５３０、第２データベース５４０、通信部５５０及び制御部５６０は、そのうちの少なくとも一部がユーザ端末装置３００で所定の命令を行うプログラムモジュールであり得る。このようなプログラムモジュールは、本発明によって後述する特定のタスクを行ったり、特定の抽象データタイプを実行するルーチン、サブルーチン、プログラム、オブジェクト、コンポーネント、データ構造などを包括するが、これに制限されるものではない。
【００３２】
本実施形態に係る電子ブックアプリケーション５００は、アプリケーション内部でのプログラムモジュール間の通信に依存してユーザに第１コンテンツや第２コンテンツを提供するという点を除けば、その構成要素的な側面やその機能的な側面から第１の実施形態に係るウェブブックアプリケーションと類似し得る。しかしながら、電子ブックアプリケーション５００は、ユーザの利用に提供されるために、必ずしも通信網１００を経由する通信を要求しないので、より簡便に利用され得る。その代りに、電子ブックアプリケーション５００内の第１データベース５３０と第２データベース５４０は、それと連動する外部サーバ（図示せず）によって時折アップデートされることができる。
（活用例）
図４と図５を参照して本発明の活用例について説明する。図４と図５は、それぞれ本発明の活用例によって第１コンテンツが提供されるユーザ端末装置３００のディスプレイ画面と第２コンテンツが提供されるユーザ端末装置３００のディスプレイ画面を示す。
【００３３】
図４に示すように、ユーザ端末装置３００のある画面（６１０には「北村韓屋村（ブッチョンハノクマウル）」に関する第１コンテンツがレイヤウトされてディスプレイされ得る。図示のように、このような第１コンテンツは、「北村韓屋村」に関する一般旅行情報（テキスト）であるか、「北村韓屋村」に関するより詳細な一般旅行情報を提供するhttp://bukchon.seoul.go.krサイトへのハイパーリンク６１１であるか、「北村韓屋村」に関するマップコンテンツ６１２であり得る。
【００３４】
図５に示すように、ユーザ端末装置３００の他の画面６２０には、「北村韓屋村」に関する第２コンテンツがレイヤウトされてディスプレイされ得る。図示のように、このような第２コンテンツは、「北村韓屋村」で撮影されたドラマの一場面のイメージ６２１であるか、該当台本の一部（テキスト）であり得る。また、ユーザはＱＲコード６２２を利用することで、前記ドラマの該当エピソード（やはり第２コンテンツの一種と見なされ得る）を全体的に経験したり、該当バックグラウンド・ミュージック（やはり第２コンテンツの一種と見なされ得る）を鑑賞できる。
（第３の実施形態）
図６は、本発明の第３の実施形態によってユーザ端末装置３００上で作動するアプリケーション７００の内部構成を詳細に示す図である。
【００３５】
図６に示すように、アプリケーション７００は、第１コンテンツ提供部７１０、第２コンテンツ提供部７２０、第１データベース（第１コンテンツデータベース）７３０、第２データベース（第２コンテンツデータベース）７４０、拡張現実提供部７５０、通信部７６０及び制御部７７０を含んで構成されることができる。本発明の一実施形態によれば、第１コンテンツ提供部７１０、第２コンテンツ提供部７２０、第１データベース７３０、第２データベース７４０、拡張現実提供部７５０、通信部７６０及び制御部７７０は、そのうちの少なくとも一部がユーザ端末装置３００で所定の命令を行うプログラムモジュールであり得る。このようなプログラムモジュールは、本発明によって後述する特定のタスクを行ったり、特定の抽象データタイプを実行するルーチン、サブルーチン、プログラム、オブジェクト、コンポーネント、データ構造などを包括するが、これに制限されるものではない。
【００３６】
本実施形態に係るアプリケーション７００は、第１の実施形態に係るウェブブックアプリケーション２００又は第２の実施形態に係る電子ブックアプリケーション５００と類似する機能を実施できる。
【００３７】
これと共に、本実施形態に係るアプリケーション７００は、ユーザが第１コンテンツに紹介されている旅行場所と関連する第２コンテンツの大衆文化コンテンツに含まれるイメージや動画（例えば、韓流ドラマの一場面を盛り込んだイメージや動画）の登場人物の状況（ポーズなど）と類似する状況で写真を撮影（或いはイメージを合成）できるように支援する拡張現実（ＡＲ、Ａｕｇｍｅｎｔｅｄ Ｒｅａｌｉｔｙ）形態のガイド情報を提供する機能を行える。
【００３８】
また、本実施形態に係るアプリケーション７００は、ユーザが第１コンテンツに紹介されている旅行場所と関連する第２コンテンツの大衆文化コンテンツに含まれるイメージや動画の登場人物と共に撮られたかのような効果を有する写真を撮影（或いはイメージを合成）できるように支援する拡張現実形態のガイド情報を提供する機能を行える。
【００３９】
更に、本実施形態に係るアプリケーション７００は、第１コンテンツに紹介されている旅行場所と関連する第２コンテンツの大衆文化コンテンツに含まれるイメージや動画の登場人物と関係なく、該当ユーザが大衆文化コンテンツの中に入っているかのような効果を有する写真を撮影（或いはイメージを合成）できるように支援する拡張現実形態のガイド情報を提供する機能を行える。
【００４０】
次に、本実施形態に係るアプリケーション７００は、ユーザがガイド情報を参照して写真撮影（或いはイメージ合成）に関する指示を下すことに対応して、第２コンテンツの該当イメージ或いは動画とユーザのイメージを合成する機能を行える。
【００４１】
例えば、本実施形態に係るアプリケーション７００の拡張現実提供部７５０は、ユーザ端末装置３００が位置している旅行場所と関連する韓流ドラマの一場面に登場する人物のポーズを表すガイド情報をユーザ端末装置３００のプレビュー画面上に拡張現実の形態で表示することで、ユーザが該当ガイドラインに合せて写真を撮影できるように支援でき、ユーザが前記のようなガイド情報に合せて写真を撮影すれば、該当韓流ドラマの一場面のイメージ又は動画をユーザのイメージと合成することで、まるでユーザが韓流ドラマの登場人物になったかのような効果を表すイメージ又は仮想現実動画を生成できる。
【００４２】
他の例を挙げると、本実施形態に係るアプリケーション７００の拡張現実提供部７５０は、ユーザ端末装置３００が位置している旅行場所と関連する韓流ドラマの一場面とここに登場する人物を表すガイド情報をユーザ端末装置３００のプレビュー画面上に拡張現実の形態で表示することで、ユーザが該当ガイド情報に合せて写真を撮影できるように支援でき、ユーザが前記のようなガイド情報に合せて写真を撮影する場合に該当韓流ドラマの一場面のイメージ又は動画をユーザのイメージと合成することで、まるでユーザが韓流ドラマの登場人物と共に写真を撮ったかのような効果を表すイメージ又は仮想現実動画を生成できる。
【００４３】
一方、大衆文化コンテンツに含まれるイメージや動画をユーザのイメージと合成するために必要なイメージ処理技術は、公知の技術に該当するので、本明細書にはこれに関する詳細な説明を省略する。
【００４４】
以上説明された本発明に係る実施形態は、多様なコンピュータ構成要素を通じて実行され得るプログラム命令語の形態で実現され、コンピュータ読み取り可能な記録媒体に記録されることができる。前記コンピュータ読み取り可能な記録媒体は、プログラム命令語、データファイル、データ構造などを単独で又は組み合わせて含むことができる。前記コンピュータ読み取り可能な記録媒体に記録されるプログラム命令語は、本発明のために特別に設計され、構成されたものであってもよく、コンピュータソフトウェア分野の当業者に公知となって使用可能なものであってもよい。コンピュータ読み取り可能な記録媒体の例には、ハードディスク、フロッピー（登録商標）ディスク及び磁気テープのような磁気媒体、ＣＤ-ＲＯＭ及びＤＶＤのような光気録媒体、フロプティカルディスク（ｆｌｏｐｔｉｃａｌ ｄｉｓｋ）のような磁気-光媒体（ｍａｇｎｅｔｏ-ｏｐｔｉｃａｌ ｍｅｄｉｕｍ）、及びＲＯＭ、ＲＡＭ、フラッシュメモリなどのような、プログラム命令語を格納し、実行するように特別に構成されたハードウェア装置が含まれる。プログラム命令語の例には、コンパイラによって作られるもののような機械語コードだけでなく、インタプリタなどを用いてコンピュータによって実行され得る高級言語コードも含まれる。ハードウェア装置は、本発明に係る処理を行うために、１つ以上のソフトウェアモジュールに変更され得、その逆も同様である。
【００４５】
以上で本発明が具体的な構成要素などのような特定事項と限定された実施形態及び図面によって説明されたが、これは、本発明のより全般的な理解を促進するために提供されたものであって、本発明が前記実施形態に限定されるものではなく、本発明の属する技術分野において通常の知識を有する者であれば、このような記載から多様な修正と変更を試みることができる。
【００４６】
従って、本発明の思想は、前記説明された実施形態に限定されて定められてはならず、後述する特許請求の範囲だけでなく、この特許請求の範囲と均等な又はこれから等価的に変更されたあらゆる範囲は、本発明の思想の範疇に属すると言える。
【符号の説明】
【００４７】
２００    コンテンツ提供システム
２１０    第１コンテンツ提供部
２２０    第２コンテンツ提供部
２３０    通信部
２４０    制御部
【図１】
2013084271.tif 000003
【図２】
2013084271.tif 000004
【図３】
2013084271.tif 000005
【図４】
2013084271.tif 000006
【図５】
2013084271.tif 000007
【図６】
2013084271.tif 000008